(57)【要約】【課題】撮影手段に近づいた利用者を撮影する場合に良好な照明により美しく撮影できる写真撮影編集方法およびその装置を提供し、利用者の満足度を向上させる。【解決手段】写真撮影編集装置の前記照明手段を、閃光を発するストロボ発光体と、該ストロボ発光体より前記撮影空間側に設けられて前記閃光を拡散する第１拡散体と、前記ストロボ発光体と前記第１拡散体との間に配置され、前記ストロボ発光体から照射された閃光の一部については透過許容して前記第１拡散体へ到達させ、残りの部分については透過させない部分透過体とで構成した。【選択図】図５
2007212726.tif 000002
【特許請求の範囲】
【請求項１】
撮影空間内の一以上の被写体を照明手段で照明し、
該照明手段により照明された被写体を撮影手段で撮影して撮影画像を作成し、
該撮影画像を編集手段で編集許容して編集画像を作成許容し、
前記撮影画像または／および前記編集画像を出力手段で出力する写真撮影編集方法であって、
前記照明手段は、
閃光を発するストロボ発光体と、
該ストロボ発光体より前記撮影空間側に設けられて前記閃光を拡散する第１拡散体と、
前記ストロボ発光体と前記第１拡散体との間に配置された部分透過体で構成され、
該部分透過体により、前記ストロボ発光体から照射された閃光の一部については透過許容して前記第１拡散体へ到達させ、残りの部分については透過させない
写真撮影編集方法。
【請求項２】
前記部分透過体は、透過防止部と、該透過防止部の中央に配された縦長形状の透過許容部とで形成され、
前記ストロボ発光体の閃光を、前記透過防止部で透過防止し、前記透過許容部で透過許容する
請求項１記載の写真撮影編集方法。
【請求項３】
前記反射板の前記ストロボ発光体側に、前記透過許容部より広い面積を有して光を拡散する第２拡散体が配置され、
前記ストロボ発光体の閃光を、前記透過許容部で透過許容する前に前記第２拡散体で拡散する
請求項２記載の写真撮影編集方法。
【請求項４】
前記部分透過体は、前記第１拡散体の正面サイズより小さいサイズで、かつ前記ストロボ発光体からの直接光が部分透過体の周囲から前記第１拡散体に到達することを防止するサイズに形成され、
該部分透過体で透過許容する閃光以外の閃光が前記ストロボ発光体から一直線に前記第１拡散体に到達することを防止する
請求項１、２、または３記載の写真撮影編集方法。
【請求項５】
撮影空間内の一以上の被写体を照明する照明手段と、
該照明手段により照明された被写体を撮影して撮影画像を作成する撮影手段と、
該撮影画像を編集して編集画像を作成する編集手段と、
前記撮影画像または／および前記編集画像を出力する出力手段とを備えた写真撮影編集装置であって、
前記照明手段を、
閃光を発するストロボ発光体と、
該ストロボ発光体より前記撮影空間側に設けられて前記閃光を拡散する第１拡散体と、
前記ストロボ発光体と前記第１拡散体との間に配置され、前記ストロボ発光体から照射された閃光の一部については透過許容して前記第１拡散体へ到達させ、残りの部分については透過させない部分透過体とで構成した
写真撮影編集装置。
【請求項６】
前記部分透過体は、前記閃光の透過を防止する透過防止部と、該透過防止部の略中央で前記閃光の透過を許容する縦長形状の透過許容部で形成した
請求項５記載の写真撮影編集装置。
【請求項７】
前記反射板の前記ストロボ発光体側に、前記透過許容部より広い面積を有して光を拡散する第２拡散体を配置した
請求項６記載の写真撮影編集装置。
【請求項８】
前記部分透過体を、前記第１拡散体の正面サイズより小さいサイズで、かつ前記ストロボ発光体からの直接光が部分透過体の周囲から前記第１拡散体に到達することを防止するサイズに形成した
請求項５、６、または７記載の写真撮影編集装置。
【発明の詳細な説明】
【技術分野】
【０００１】
この発明は、例えば被写体を撮影して撮影画像を取得し、この撮影画像に編集許容して編集画像を取得し、この編集画像を出力するような写真撮影編集方法およびその装置に関する。
【背景技術】
【０００２】
従来、撮影空間内にいる被写体となる利用者を、照明装置で照明しつつ撮影手段としてのデジタルカメラで撮影し、取得した撮影画像にタッチパネルで編集許容し、完成した編集画像を写真シール紙に印刷して排出する写真撮影編集装置が提供されている。
【０００３】
この写真撮影編集装置には、利用者を照射するための照明装置として、ストロボ発光体が複数台設置されている。このストロボ発光体の閃光は強い光であるため、直接光を利用者に照射すると、光が強すぎて撮影画像の利用者の写りは陰影に乏しくなる。このため、ストロボ発光体の閃光をレフ板や白色の壁などで様々な方向に反射させ、その反射光を利用者に照射するプリントシールベンダーが提案されている（特許文献１参照）。
【０００４】
しかし、このようなプリントシールベンダーでは、デジタルカメラに近づいた利用者に対して良好な照明が得られるものではなかった。つまり、デジタルカメラに近づいてアップで撮影する利用者は、デジタルカメラに最も近い正面のストロボ発光体からの閃光を強く受けることになる。そして、このプリントシールベンダーでは、レフ板や白色の壁などにより左右で反射した反射光をデジタルカメラに近づいた利用者に効果的に照射できない。したがって、結局のところ前記プリントシールベンダーは、デジタルカメラに近づいた利用者の写りが陰影に乏しくなるものであった。
【０００５】
【特許文献１】特開２００３−１５６７９３号公報
【発明の開示】
【発明が解決しようとする課題】
【０００６】
この発明は、上述の問題に鑑み、撮影手段に近づいた利用者を撮影する場合に良好な照明により美しく撮影できる写真撮影編集方法およびその装置を提供し、利用者の満足度を向上させることを目的とする。
【課題を解決するための手段】
【０００７】
この発明は、撮影空間内の一以上の被写体を照明手段で照明し、該照明手段により照明された被写体を撮影手段で撮影して撮影画像を作成し、該撮影画像を編集手段で編集許容して編集画像を作成許容し、前記撮影画像または／および前記編集画像を出力手段で出力する写真撮影編集方法またはその装置であって、前記照明手段は、閃光を発するストロボ発光体と、該ストロボ発光体より前記撮影空間側に設けられて前記閃光を拡散する第１拡散体と、前記ストロボ発光体と前記第１拡散体との間に配置された部分透過体で構成され、該部分透過体により、前記ストロボ発光体から照射された閃光の一部については透過許容して前記第１拡散体へ到達させ、残りの部分については透過させない写真撮影編集方法またはその装置であることを特徴とする。
【０００８】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することができる。  
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができる。
【０００９】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１０】
前記第１拡散体は、白色半透明の樹脂部材、または白色半透明の擦りガラス部材など、光を拡散する部材で構成することができる。  
前記部分透過体は、透過許容部と透過防止部とを有する部材で構成することができる。ここで、透過許容部は、穴や溝で細長く形成したスリット、円形穴や四角形穴等を一直線に連続的に複数並べた穴群、あるいは適宜の穴や溝など、光を透過する部分で構成することができる。また透過防止部は、光を反射する反射部材や、光を遮断する遮断部材など、光の透過を防止する部材で構成することができる。
【００１１】
この発明の態様として、前記部分透過体は、前記閃光の透過を防止する透過防止部と、該透過防止部の略中央で前記閃光の透過を許容する縦長形状の透過許容部で形成することができる。
【００１２】
前記縦長形状は、穴や溝で細長く形成したスリット、または、円形穴や四角形穴等を一直線に連続的に複数並べた穴群など、透過許容部を透過した光が略縦長になる適宜の形状とすることができる。
【００１３】
またこの発明の態様として、前記反射板の前記ストロボ発光体側に、前記透過許容部より広い面積を有して光を拡散する第２拡散体を配置することができる。  
前記第２拡散体は、白色半透明の樹脂部材、または白色半透明の擦りガラス部材など、光を拡散する部材で構成することができる。
【００１４】
またこの発明の態様として、前記部分透過体を、前記第１拡散体の正面サイズより小さいサイズで、かつ前記ストロボ発光体からの直接光が部分透過体の周囲から前記第１拡散体に到達することを防止するサイズに形成することができる。
【発明の効果】
【００１５】
この発明により、撮影手段に近づいた利用者を撮影する場合に、透過許容した部分的な閃光により利用者の鼻筋をくっきり照らすことができる。また残りの部分の閃光を利用者に直接照射しないことにより、撮影手段に近づいた利用者の顔全体がのっぺり照らされることを防止できる。このようにして、良好な照明により美しく撮影でき、利用者の満足度を向上させることができる。
【発明を実施するための最良の形態】
【００１６】
この発明の一実施形態を以下図面と共に説明する。  
図１は、写真シール作成装置１の外観斜視図を示す。
【００１７】
写真シール作成装置１は、枠体６で六面体状に囲繞された撮影空間９の奥側に撮影筐体３が設けられ、撮影空間９の手前側に白色や緑色や青色などのクロマキー合成に適した色のプラスチックパネルまたはカーテン等で構成される背景部材８が設けられている。
【００１８】
また、撮影空間９の天井部分には、天井中央照明ボックス４、天井後方照明ボックス５、および鉄板に複数の通気穴を穿設した通気板（所謂パンチングメタル）７が奥から手前へこの順で配設されている。この通気板７は、撮影空間９内にこもった熱気を外部に放出できるため、撮影空間９内に熱がこもって利用者に暑く感じさせることを防止している。
【００１９】
また撮影空間９の左右両側には、上下に長い手摺１０が枠体６に沿って撮影空間９側に突出して配設されている。この手摺１０は、平均身長の女子高生の膝丈程度の位置から肩程度の位置まで上下に渡って設けられている。このため、利用者は手摺１０を掴んで様々なポーズで撮影できる。
【００２０】
また、枠体６の外側で撮影筐体３の向こう側には、編集筐体２が設けられている。ここで、撮影筐体とは、分離可能に構成される２つの筐体のうち撮影側に設置される一方の筐体を指し、編集筐体とは、分離可能に構成される２つの筐体のうち編集側に設置される他方の筐体を指す。従って、撮影筐体は、デジタルカメラなどの撮影手段を有する筐体に限らず、撮影手段を有しない筐体であることも含まれる。
【００２１】
図２は撮影筐体３の正面図を示し、図３は撮影筐体３の縦断正面図を示し、図４は図２におけるＡ−Ａ矢視拡大断面図を示し、図５は図４におけるＢ−Ｂ矢視拡大断面図を示す。
【００２２】
撮影筐体３の正面には、図２に示すように上方半分以上の領域に照明部１４が設けられている。照明部１４の中央にはデジタルカメラ１８とディスプレイ１９が設けられており、照明部１４の下方には、右側に上から順に液晶パネル（表示手段）２１、硬貨投入口２２、硬貨排出口２３、および荷物置き棚２４がこの順で設けられている。
【００２３】
照明部１４は、図３に示すように仕切板４４，４６により、上段部分が上方照明ボックス１１、中段部分が中央照明ボックス１２、下段部分が下方照明ボックス１３に区分けされて構成されている。
【００２４】
上方照明ボックス１１は、さらに左上方照明ボックス１１Ａ、中央上方照明ボックス１１Ｂ、および右上方照明ボックス１１Ｃとして、２つの仕切板４０により筐体幅方向に３つに分割されている。これらの上方照明ボックス１１Ａ〜１１Ｃは、いずれも正面以外の周囲が天井板４１、側面板４２，５０、仕切板４０，４４、および背面板４３により囲繞されている。これらの天井板４１、側面板４２，５０、仕切板４０，４４、および背面板４３は、いずれも内側の表面が白色塗装されており、光を反射するように構成されている。したがって、上方照明ボックス１１Ａ〜１１Ｃの内部空間は、それぞれ光反射空間２７Ａ，２７Ｂ，２７Ｃとして機能する。
【００２５】
中央上方照明ボックス１１Ｂの中央には、図４の側面拡大断面図に示すように、拡散板１５，１６に向けて直接光を照射する直接光ストロボ３４が、閃光の照射方向を撮影空間側斜め下方へ向けて設けられている。
【００２６】
この直接光ストロボ３４は、図３に示すように撮影筐体３の幅方向中央に設けられたデジタルカメラ１８（図２参照）の上部に設けられており、該直接光ストロボ３４の正面となる手前側（撮影空間側）には、縦長のスリット穴６３を有する部分透過体６０が設けられている。該部分透過体６０のさらに手前側には、図４に示すように一重拡散板１５および二重拡散板１６が設けられている。部分透過体６０と拡散板１５，１６は、互いに平行で、斜め約４５度に傾斜配置されており、その表面が、直接光ストロボ３４の閃光の照射中心方向Ｌと直行する構成になっている。
【００２７】
ここで、二重拡散板１６は、乳白色（白色半透明）で肉厚一定のアクリル板で構成された拡散板５１と拡散板５３が空間５２を隔てて並設された２重構造に形成されている。これにより、図中に矢印で示すように、閃光を２段階に拡散することができ、被写体である利用者を照明する際に顔等の陰影が強くなりすぎないように閃光を充分に拡散する。
【００２８】
また、拡散板５３は、外形が略四角形（図２参照）であり、裏面方向に起立した起立辺５４が周囲全体に設けられた凸型の形状に形成されている。これにより、閃光を正面方向だけでなく起立辺５４から周面方向にも照射できるため、複数並設された一重拡散板１５や二重拡散板１６の間に閃光が照射されず影が生じるといったことを抑制している。
【００２９】
また、一重拡散板１５は、外形が略四角形の拡散板５６の周囲全体に、裏面方向に起立した起立辺５７を有する形状に形成されている。この構成により、正面方向だけではなく起立辺５７から周面方向にも拡散した閃光を照射できるため、複数並設された一重拡散板１５や二重拡散板１６の間に閃光が照射されず影が生じるといったことを抑制できる。また、拡散板５６の肉厚および素材は、上述した拡散板５１，５３と同一である。これにより、一重拡散板１５により二重拡散板１６より小さく拡散した光を照射できる。
【００３０】
部分透過体６０は、Ｂ−Ｂ矢視（図４）拡大断面図である図５に示すように、拡散板６１および遮蔽板６２により構成されている。  
遮蔽板６２は、まっすぐな平面の肉厚一定の板形状であり、この実施の形態では板金を使用している。また遮蔽板６２は、拡散板６１が重合される背面側が白色塗装されており、光を背面へ反射する構成になっている。また遮蔽板６２の中央には、図３に示すように、上下方向が約２００ｍｍと長く、左右幅が約１５〜３０ｍｍ、好ましくは約２０ｍｍと短い縦長のスリット穴６３が設けられている。
【００３１】
拡散板６１は、図５に示すように、まっすぐな平面の肉厚一定の長方形に形成された乳白色のアクリル板で構成されており、複数枚（図示する例では４枚）重合配置して固定している。この拡散板６１の肉厚および素材は、拡散板５１、５３，５６と同一であり、大きさは、スリット穴６３の大きさより大きく構成されており、スリット穴６３を背面側から完全に覆うように構成されている。
【００３２】
直接光ストロボ３４は、ストロボ発光するストロボ球３４ａが正面側（撮影空間側）に設けられている。また直接光ストロボ３４は、ストロボ球３４ａの左右位置に、正面へ向けて広がるリフレクタ３４ｂが設けられている。このリフレクタ３４ｂは、正面へ向けてハの字型に広がる縦長の板金であり、ストロボ球３４ａの閃光を正面方向へ集中させるように、側面や背面へ向けて照射される閃光を正面へ向けて反射する。
【００３３】
このリフレクタ３４ｂによってストロボ球３４ａから正面側へ集中照射される閃光は、その一部が拡散板６１で拡散されてスリット穴６３を透過し、二重拡散板１６によって再度拡散されて撮影空間９（図１参照）の利用者を照射する。正面側へ集中照射される閃光の他の部分は、遮蔽板６２の白色塗装された背面で背面側へ反射される。この反射光は、図３に示した仕切板４０，４４、天井板４１、および背面板４３でさらに反射されることで、二次反射光や三次反射光といった複数回反射光となり、部分透過体６０の周囲の空間を通って一重拡散板１５や二重拡散板１６に到達し、一重拡散板１５や二重拡散板１６でさらに拡散されて撮影空間９内の利用者を照射する。
【００３４】
図３に示す左上方照明ボックス１１Ａおよび右上方照明ボックス１１Ｃは、互いに左右対称であり、蛍光灯３１が中央少し上方に配設されており、該蛍光灯３１より内側に、反射光により被写体を照明する反射光ストロボ３３が配設されている。
【００３５】
ここで、反射光ストロボ３３は、前記直接光ストロボ３４と同様に、図６の背面上方から見た斜視図に示すようにストロボ球３３ａとリフレクタ３３ｂが設けられており、ストロボ球３３ａの閃光を背面方向へ集中させるように構成している。そして、反射光ストロボ３３の背面側となるストロボ球３３ａ側は、上面のみを開放して、左側面（図示手前側）が遮蔽板７１で、右側面（図示奥側）が遮蔽板７３で、底面（図示下側）が遮蔽板７２で、背面が（図示左側）拡散板７４でボックス状に囲繞している。ここで拡散板７４は、拡散板６１を構成するアクリル板と同一の肉厚で同一素材のアクリル板を拡散板６１の重合枚数より少ない複数枚（図示する例では２枚）重合させて構成している。
【００３６】
この構成により、ストロボ球３３ａの閃光は、拡散板７４で拡散した光と、開放面である上面からの光だけを利用する。特に利用者の顔に最も近い面である底面を遮蔽板７２で遮蔽することで、利用者に照射する閃光が強くなりすぎないように調整している。
【００３７】
図２に示すように、上方照明ボックス１１の正面には、計１０個の拡散板１５，１６が上下２段に配設されている。このうち、下段中央側の３個の拡散板は、二重拡散板１６であり、普通人の顔位置と同程度の高さ部分に位置する。
【００３８】
また、上方照明ボックス１１は、上記二重拡散板１６の左右両側部、および二重拡散板１６の上方部に、７枚の一重拡散板１５が配設されている。これにより、二重拡散板１６の上方と左右両側方との３方を一重拡散板１５で囲繞している。
【００３９】
中央照明ボックス１２は、図３に示すように、正面以外の周囲が、側面板４２，５０、仕切板４４，４６、および背面板４３で囲繞されている。これらの側面板４２，５０、仕切板４４，４６、および背面板４３は、いずれも内側の表面が白色塗装されており、光を反射するように構成されている。したがって、中央照明ボックス１２の内部空間は光反射空間２８として機能する。
【００４０】
中央照明ボックス１２の内部には、中央から両側部までの中間点に蛍光灯３２，３２が左右対称に設けられている。また、中央照明ボックス１２の正面には、中央のデジタルカメラ１８を挟んで左右に２枚ずつ計４枚の一重拡散板１５が配設されている。これにより、蛍光灯３２，３２による連続光を一重拡散板１５で拡散した拡散連続光によって撮影空間９内を照明できる。
【００４１】
下方照明ボックス１３は、正面以外の周囲が仕切板４６、側面板４２，５０、底部仕切板４９、および背面板４３により囲繞されている。これらの側面板４２，５０、底部仕切板４９、および背面板４３は、いずれも内側の表面が白色塗装されており、光を反射するように構成されている。したがって、下方照明ボックス１３の内部空間は光反射空間２９として機能する。
【００４２】
下方照明ボックス１３内の左右側方で中央より下方位置には、反射光で被写体を照射する反射光ストロボ３７が１つずつ左右に配設されている。また、各反射光ストロボ３７に隣接して蛍光灯３８，３８が設けられている。
【００４３】
ここで、反射光ストロボ３７は、前記直接光ストロボ３４と同様に、図７の背面下方から見た斜視図に示すようにストロボ球３７ａとリフレクタ３７ｂが設けられており、ストロボ球３７ａの閃光を背面方向（図示左方向）へ集中させるように構成されている。そして、反射光ストロボ３７の背面側となるストロボ球３７ａ側は、底面（図示下側）のみを開放して、左側面（図示手前側）が遮蔽板８１で、右側面（図示奥側）が遮蔽板８３で、上面（図示上側）が遮蔽板８２で、背面（図示右側）が拡散板８４でボックス状に囲繞されている。これにより、ストロボ球３７ａの閃光は、拡散板８４で拡散した光と、開放面である底面からの光だけを利用する。特に利用者の顔に最も近い面である上面を遮蔽板８２で遮蔽することで、利用者に照射する閃光が強くなりすぎないように調整している。
【００４４】
下方照明ボックス１３の正面には、図２に示すように、計８枚の拡散板１５，１６が上下２段に配設されている。このうち、上段側の中央３つの二重拡散板１６は、上述したように２重構造に形成されている。また、下方照明ボックス１３は、上記二重拡散板１６の左側部、および二重拡散板１６の下方部に、５枚の一重拡散板１５が配設されている。
【００４５】
図８は、写真シール作成装置１の構成を示すブロック図であり、図９は、写真シール作成装置１の撮影部の構成を示すブロック図である。
【００４６】
写真シール作成装置１は、バス１２１に接続して、制御部１３１、制御情報記憶部１３２、画像データ保持部１３３、プレイ情報記憶部１３４、利用者情報記憶部１３５、撮影部用硬貨部１４１、撮影部１４２、背景部１４３、編集部１４４、印刷部１４６、通信部１４７、およびドライブ１４８が設けられている。
【００４７】
制御部１３１は、ゲーム管理部１５１、硬貨処理部１５２、撮影処理部１５３、移動案内処理部１５４、編集処理部１５５、印刷処理部１５６、事後接客処理部１５７、および計時部１５８により構成されている。  
ゲーム管理部１５１は、ゲームに関する管理を行う部分であり、照明、撮影、編集に関する制御を行う。  
硬貨処理部１５２は、硬貨投入口に投入された硬貨を処理する部分であり、投入金額の把握を行う。  
撮影処理部１５３は、撮影を行う部分であり、デジタルカメラ１８による撮影を制御する。  
移動案内処理部１５４は、利用者が移動すべき編集箇所を液晶パネル２１への表示や音声により案内する処理を行う。  
編集処理部１５５は、液晶パネルへの表示と操作ペンでのタッチ入力による画像編集を許容する処理を行う。  
印刷処理部１５６は、シール紙への画像の印刷を行って完成した写真シールシートを写真シール排出口から排出する処理を行う。  
事後接客処理部１５７は、ミニゲームや画像情報の送信といった事後接客を実行する。  
計時部１５８は、撮影や編集において利用者に入力させる場面で入力許容する制限時間の経過を計時する。
【００４８】
制御情報記憶部１３２は、写真シール作成装置１の各種制御に関する制御情報を記憶している。  
画像データ保持部１３３は、撮影画像や編集画像といった画像のデータを保持している。  
プレイ情報記憶部１３４は、プレイ中の情報、たとえばコースや写り、出力枚数などの利用者に選択させる情報を記憶する。  
利用者情報記憶部１３５は、利用者に関する情報を記憶する。
【００４９】
撮影部用硬貨部１４１は、硬貨投入口２２から投入された硬貨を処理する部分であり、投入金額の把握を行う。  
撮影部１４２は、各ストロボ３３，３４，３５，３６，３７による照明とデジタルカメラ１８による撮影を実行する。  
背景部１４３は、例えば昇降機能付きのロールカーテンで構成される背景部材８が複数設けられている場合に、背景として使用するロールカーテンを下ろし、それ以外のロールカーテンを巻き取るといった制御を行う。
【００５０】
編集部１４４は、液晶ディスプレイ等の表示装置に撮影画像や編集用ツール画像等を表示し、この表示装置に重ねて設けられたタッチパネルで利用者にタッチ入力された入力情報を取得し、撮影画像に対する利用者の編集を許容する。  
印刷部１４６は、適宜のカラープリンタで構成され、編集画像を適宜のレイアウトに配置した印刷画像をシール紙に印刷して写真シールシートを作成する。
【００５１】
通信部１４７は、インターネットなどのネットワーク１６１を介して携帯電話機などの他の装置に画像情報を送信する。  
ドライブ１４８は、フレキシブルディスクなどのリムーバブルメディア１６２に対して画像等の情報の読み書きを実行する。
【００５２】
前記撮影部１４２は、図９に示すように、バス１２１に接続されて音声出力制御部１７１、照明制御部１７２、カメラ制御部１７３、デジタルカメラ１８、表示制御部１７４、およびタッチパネル制御部１７８が設けられており、音声出力部３７、ストロボ３３，３４，３５，３６，３７、ディスプレイ１９、液晶パネル２１、ＶＲＡＭ１７５、およびタッチパネル１７７が設けられている。
【００５３】
音声出力制御部１７１は、音声出力部３７からの音声出力を制御する。  
照明制御部１７２は、ストロボ３３，３４，３５，３６，３７による閃光照射のタイミングと照射強度を制御する。この閃光を発する際に照明制御部１７２は、利用者に選択されたコースや写り設定により、複数段階（例えば１５段階）に照射強度を設定できる各ストロボ３３，３４，３５，３６，３７についてそれぞれ照射強度を異ならせ、様々な照明効果を演出する。例えば陽が右から射すコンテンツ（コースおよび写り設定）を利用者（顧客）が選択すると、右側に存在するストロボ３３，３７（図３参照）の照射強度が強くなるように設定信号を送信して調整する。
【００５４】
カメラ制御部１７３は、デジタルカメラ１８の動作を制御する。  
表示制御部１７４は、ディスプレイ１９および液晶パネル２１の表示を制御する。
【００５５】
ＶＲＡＭ１７５は、表示制御部１７４から受け取った画像情報を記憶し、必要に応じて記憶している画像情報を表示制御部１７４に送信する。  
表示制御部１７４は、撮影画像や編集画像などの画像に基づく表示を制御する。  
タッチパネル１７７は、利用者にタッチされた入力情報をタッチパネル制御部１７８に送信する。  
タッチパネル制御部１７８は、前記表示制御部１７４を制御する。
【００５６】
以上の構成により、各ストロボ３３，３４，３５，３６，３７の照明強度を多段階に設定して様々な照明効果を得ることができ、この照明効果を得た撮影画像を取得することができる。また、撮影画像に対しては編集を行うことができ、この編集画像をレイアウトに配置してシール紙に印刷し、写真シールシートを提供することができる。
【００５７】
図１０は、写真シール作成装置１の制御部１３１が実行する全体動作のフローチャートを示す。  
制御部１３１は、撮影設定処理で撮影の設定を行い（ステップＳ１）、左上方照明ボックス１１Ａ、中央上方照明ボックス１１Ｂ、右上方照明ボックス１１Ｃ、中央照明ボックス１２、および下方照明ボックス１３の各ストロボ３３，３４，３５，３６，３７による照射を設定された撮影モードに応じて実行し、この照射と共にデジタルカメラ１８で撮影する撮影処理を実行する（ステップＳ２）。
【００５８】
そして、制御部１３１は、移動案内処理によって２つの編集空間のいずれか一方へ利用者を誘導し（ステップＳ３）、前記撮影処理で取得した撮影画像に編集許容する編集処理を実行し（ステップＳ４）、編集画像を複数枚配置した印刷用画像をシール紙に印刷する印刷処理および事後接客処理を実行し（ステップＳ５）、出来上がった写真シールシートを排出し（ステップＳ６）、処理を終了する。
【００５９】
以上の動作により、利用者は、照明付きの撮影をして撮影画像を取得し、この撮影画像に編集して編集画像を作成し、この編集画像をシール紙に印刷させて、写真シールシートを取得することができる。  
以上詳述したように、この実施の形態の写真シール作成装置１は、上方照明ボックス１１、中央照明ボックス１２、および下方照明ボックス１３の構成により、被写体を美しく撮影でき、特にデジタルカメラ１８に近づいた利用者の顔についても良好な照明で綺麗に撮影できる。
【００６０】
詳述すると、図４のＡ−Ａ矢視（図２）拡大断面図に示すように、直接光ストロボ３４から矢印に示すように照射された閃光は、一部を部分透過体６０の拡散板６１とスリット穴６３によって縦長に部分的に強めの光で照射し、残りの部分を複数回反射させてやわらかい光で照射する。そして、これらの強めの光とやわらかい光を拡散板１５，１６で拡散し、デジタルカメラ１８に近い撮影空間９の中央付近でアップ撮影する利用者を綺麗に照明することができる。
【００６１】
スリット穴６３を透過した光は、拡散板６１によって光量の分布が略均一な光となり、デジタルカメラ１８に近い撮影空間９の中央付近でアップ撮影する利用者の鼻筋部分を強調して照射できるため、顔に立体感がある美しい撮影画像を得ることができる。仮にスリット穴６３を設けずに部分透過体６０全体で閃光を反射した場合、デジタルカメラ１８に近づいた利用者の顔は、光の当てすぎによってのっぺりと写ることは防止できるものの暗く写ってしまう。これに対してスリット穴６３を設けたことで、該スリット穴６３を透過した光によって鼻筋をくっきり照射して利用者の顔に光を行き届かせることができる。また鼻筋をくっきりと写すことで顔全体が細く見える効果も得られる。
【００６２】
また、中央上方照明ボックス１１Ｂで照射する光のうち、スリット穴６３を透過した光以外の光は、中央上方照明ボックス１１Ｂ内で複数回反射した複数回反射光であるから、ストロボ球３４ａから利用者の顔に届くまでの空間通過距離が長くなり、利用者をやわらかく照射することができる。従って、デジタルカメラ１８に近づいた利用者の顔を、適度に明るく照明することができる。なお、空間通過距離とは、ストロボ球３４ａの照射する閃光が、出発点であるストロボ球３４ａから到着点である利用者の顔まで、中央上方照明ボックス１１Ｂ内で反射しつつ進んだ距離を指す。
【００６３】
また、左上方照明ボックス１１Ａ、中央上方照明ボックス１１Ｂ、および右上方照明ボックス１１Ｃは、仕切板４０によって幅方向に分離して構成しため、各上方照明ボックス１１Ａ〜１１Ｃの点灯／非点灯や照明強度を異ならせることで光の当たり方を変えて行う演出を効果的に行うことができる。
【００６４】
また、直接光ストロボ３４からの閃光を一重拡散板１５で拡散した拡散光は、二重拡散板１６による拡散よりも拡散度合いが少ないため、デジタルカメラ１８から遠い撮影空間９の後方で全身撮影する利用者を充分に照明することができる。
【００６５】
また、反射光ストロボ３３，３７から照射した閃光は、天井板４１、背面板４３、底部仕切板４９等で反射し、一重拡散板１５や二重拡散板１６で拡散されて被写体を照明する。この場合も、二重拡散板１６で拡散された拡散光は一重拡散板１５に比べて広く拡散される。
【００６６】
このように、この実施形態の写真シール作成装置１により、装置の占有面積をなるべく小さくすることが望まれ、かつ簡単な操作で撮影できることが望まれる写真シール作成装置において、レフ板の設置場所、大きさ、枚数を広い空間で自由に設置し適宜調整しつつ撮影できる写真撮影専用スタジオに劣らない美しい撮影画像を得ることができる。
【００６７】
この発明の構成と、上述の実施形態との対応において、
この発明の写真撮影編集装置は、実施形態の写真シール作成装置１に対応し、
以下同様に、
照明手段は、中央上方照明ボックス１１Ｂに対応し、
第１拡散体は、一重拡散板１５および二重拡散板１６に対応し、
撮影手段は、デジタルカメラ１８に対応し、
ストロボ発光体は、ストロボ球３４ａに対応し、
第２拡散体は、拡散板６１に対応し、
透過防止部は、遮蔽板６２に対応し、
透過許容部は、スリット穴６３に対応し、
編集手段は、編集部１４４に対応し、
出力手段は、印刷部１４６に対応するも、
この発明は、上述の実施形態の構成のみに限定されるものではなく、多くの実施の形態を得ることができる。
【図面の簡単な説明】
【００６８】
【図１】写真シール作成装置の外観斜視図。
【図２】撮影筐体の正面図。
【図３】撮影筐体の縦断正面図。
【図４】Ａ−Ａ矢視拡大断面図。
【図５】Ｂ−Ｂ矢視拡大断面図。
【図６】上方照明ボックスの反射光ストロボを背面上方から見た斜視図。
【図７】下方照明ボックスの反射光ストロボを背面下方から見た斜視図。
【図８】写真シール作成装置の構成を示すブロック図。
【図９】写真シール作成装置の撮影部の構成を示すブロック図。
【図１０】写真シール作成装置の制御部が実行する全体動作のフローチャート。
【符号の説明】
【００６９】
１…写真シール作成装置
９…撮影空間
１１Ｂ…中央上方照明ボックス
１５…一重拡散板
１６…二重拡散板
１８…デジタルカメラ
３４ａ…ストロボ球
６０…部分透過体
６１…拡散板
６２…遮蔽板
６３…スリット穴
１４４…編集部
１４６…印刷部
【図１】
2007212726.tif 000003
【図２】
2007212726.tif 000004
【図３】
2007212726.tif 000005
【図４】
2007212726.tif 000006
【図５】
2007212726.tif 000007
【図６】
2007212726.tif 000008
【図７】
2007212726.tif 000009
【図８】
2007212726.tif 000010
【図９】
2007212726.tif 000011
【図１０】
2007212726.tif 000012